(57)【要約】【課題】画像出力の安全性及びユーザの利便性を両立させることが可能な携帯端末、画像出力システム及びプログラムを提供する。【解決手段】印刷データを暗号化した暗号化印刷データを、ネットワークを介してサーバに登録し、当該サーバから当該暗号化印刷データの識別情報を取得する登録部１６９と、暗号化印刷データの暗号化に用いた暗号鍵と識別情報とを含む登録済み印刷情報を生成する生成部１７１と、登録済み印刷情報を近距離無線通信で画像出力装置に通知する通知部１７３と、を備える。【選択図】図２
2014174920.tif 000002
【特許請求の範囲】
【請求項１】
印刷データを暗号化した暗号化印刷データを、ネットワークを介してサーバに登録し、当該サーバから当該暗号化印刷データの識別情報を取得する登録部と、
前記暗号化印刷データの暗号化に用いた暗号鍵と前記識別情報とを含む登録済み印刷情報を生成する生成部と、
前記登録済み印刷情報を近距離無線通信で画像出力装置に通知する通知部と、
を備える携帯端末。
【請求項２】
前記サーバとのネットワーク接続に用いられる接続情報を記憶する記憶部を更に備え、
前記登録部は、前記接続情報を用いて前記サーバに前記ネットワークを介して接続して、前記暗号化印刷データを登録し、
前記生成部は、前記接続情報を更に含む前記登録済み印刷情報を生成する請求項１に記載の携帯端末。
【請求項３】
前記記憶部に記憶された前記接続情報は、ユーザが入力したものである請求項２に記載の携帯端末。
【請求項４】
前記記憶部に記憶された前記接続情報は、外部から取得されたものである請求項２に記載の携帯端末。
【請求項５】
コンピュータで実行されるプログラムと、画像出力装置とを、備える画像出力システムであって、
前記プログラムは、
印刷データを暗号化した暗号化印刷データを、ネットワークを介してサーバに登録し、当該サーバから当該暗号化印刷データの識別情報を取得する登録部と、
前記暗号化印刷データの暗号化に用いた暗号鍵と前記識別情報とを含む登録済み印刷情報を生成する生成部と、
前記登録済み印刷情報を近距離無線通信で通知する通知部として、前記コンピュータを機能させ、
前記画像出力装置は、
前記登録済み印刷情報に含まれる前記識別情報を、前記ネットワークを介して前記サーバに通知して、前記暗号化印刷データを取得する取得部と、
前記登録済み印刷情報に含まれる前記暗号鍵を用いて前記暗号化印刷データを前記印刷データに復号する復号部と、
復号された前記印刷データに基づく画像出力を制御する出力制御部と、
を備える画像出力システム。
【請求項６】
前記サーバを更に備え、
前記登録部は、更に、前記携帯端末のユーザを認証する認証情報を、前記ネットワークを介して前記サーバに通知し、
前記生成部は、前記認証情報を更に含む前記登録済み印刷情報を生成し、
前記サーバは、前記登録部により通知された前記認証情報を用いた認証を行い、当該認証に成功した場合、当該認証情報を前記暗号化印刷データの識別情報に対応付けて管理する請求項５に記載の画像出力システム。
【請求項７】
前記取得部は、前記登録済み印刷情報に含まれる前記認証情報を、前記ネットワークを介して前記サーバに更に通知して、前記暗号化印刷データを取得し、
前記サーバは、前記取得部により通知された前記認証情報を用いた認証を行い、当該認証に成功した場合、前記取得部により通知された前記識別情報に対応する前記暗号化印刷データを、前記ネットワークを介して前記画像出力装置に配信する請求項６に記載の画像出力システム。
【請求項８】
前記画像出力装置は、
前記印刷データに基づく画像出力の制御後に、前記ネットワークを介して前記サーバに前記識別情報を通知して前記暗号化印刷データの削除を要求する要求部を更に備え、
前記サーバは、通知された前記識別情報に対応する前記暗号化印刷データを削除する請求項７に記載の画像出力システム。
【請求項９】
前記プログラムは、前記認証情報及び前記識別情報を、前記ネットワークを介して前記サーバに通知して、前記暗号化印刷データの削除を要求する要求部として、前記コンピュータを更に機能させ、
前記サーバは、前記登録部により登録された前記認証情報と前記要求部により通知された前記認証情報とを用いた認証を行い、当該認証に成功した場合、通知された前記識別情報に対応する前記暗号化印刷データを削除する請求項６又は７に記載の画像出力システム。
【請求項１０】
前記要求部は、ユーザからの削除要求操作、又は前記プログラムの削除要求操作の入力に基づいて、前記認証情報及び前記識別情報を、前記ネットワークを介して前記サーバに通知する請求項９に記載の画像出力システム。
【請求項１１】
前記コンピュータは、
前記サーバとのネットワーク接続に用いられる接続情報を記憶する記憶部を備え、
前記登録部は、前記接続情報を用いて前記サーバに前記ネットワークを介して接続して、前記暗号化印刷データを登録し、
前記生成部は、前記接続情報を更に含む前記登録済み印刷情報を生成し、
前記取得部は、前記接続情報を用いて前記サーバに前記ネットワークを介して接続し、前記識別情報を用いて前記暗号化印刷データを取得する請求項５〜１０のいずれか１つに記載の画像出力システム。
【請求項１２】
前記記憶部に記憶された前記接続情報は、ユーザが入力したものである請求項１１に記載の画像出力システム。
【請求項１３】
前記記憶部に記憶された前記接続情報は、外部から取得されたものである請求項１１に記載の画像出力システム。
【請求項１４】
前記コンピュータは、携帯端末のコンピュータであり、
前記通知部は、前記登録済み印刷情報を前記画像出力装置に通知する請求項５〜１３のいずれか１つに記載の画像出力システム。
【請求項１５】
前記コンピュータは、端末のコンピュータであり、
前記通知部は、前記登録済み印刷情報を携帯端末に通知し、
前記取得部は、前記登録済み印刷情報を前記携帯端末から取得する請求項５〜１３のいずれか１つに記載の画像出力システム。
【請求項１６】
前記コンピュータは、第１携帯端末のコンピュータであり、
前記通知部は、前記登録済み印刷情報を第２携帯端末に通知し、
前記取得部は、前記登録済み印刷情報を前記第２携帯端末から取得する請求項５〜１３のいずれか１つに記載の画像出力システム。
【請求項１７】
前記サーバは、複数のサーバから構成されるサーバシステムであり、
前記暗号化印刷データは、前記複数のサーバに分散して登録される請求項５〜１６のいずれか１つに記載の画像出力システム。
【請求項１８】
情報処理装置と、画像出力装置とを、備える画像出力システムであって、
前記情報処理装置は、
印刷データを暗号化した暗号化印刷データを、ネットワークを介してサーバに登録し、当該サーバから当該暗号化印刷データの識別情報を取得する登録部と、
前記暗号化印刷データの暗号化に用いた暗号鍵と前記識別情報とを含む登録済み印刷情報を生成する生成部と、
前記登録済み印刷情報を近距離無線通信で通知する通知部と、を備え
前記画像出力装置は、
前記登録済み印刷情報に含まれる前記識別情報を、前記ネットワークを介して前記サーバに通知して、前記暗号化印刷データを取得する取得部と、
前記登録済み印刷情報に含まれる前記暗号鍵を用いて前記暗号化印刷データを前記印刷データに復号する復号部と、
復号された前記印刷データに基づく画像出力を制御する出力制御部と、
を備える画像出力システム。
【請求項１９】
印刷データを暗号化した暗号化印刷データを、ネットワークを介してサーバに登録し、当該サーバから当該暗号化印刷データの識別情報を取得する登録部と、
前記暗号化印刷データの暗号化に用いた暗号鍵と前記識別情報とを含む登録済み印刷情報を生成する生成部と、
前記登録済み印刷情報を近距離無線通信で画像出力装置に通知する通知部と、
してコンピュータを機能させるためのプログラム。
【発明の詳細な説明】
【技術分野】
【０００１】
本発明は、携帯端末、画像出力システム及びプログラムに関する。
【背景技術】
【０００２】
印刷要求元から印刷装置に印刷要求を行うにあたり、盗聴や改ざんを防止するため、印刷要求を暗号化する技術が知られている。
【０００３】
例えば特許文献１には、携帯端末装置から複合機へ暗号化印刷データを送り、ユーザが携帯端末装置にパスワードを入力し、当該パスワードを携帯端末装置から複合機へ送り、複合機が当該パスワードを用いて暗号化印刷データを印刷データに復号し、印刷を行う技術が開示されている。
【発明の概要】
【発明が解決しようとする課題】
【０００４】
しかしながら、上述したような従来技術では、ユーザがパスワードを入力する必要があり、ユーザ負担が増すという問題がある。
【０００５】
本発明は、上記事情に鑑みてなされたものであり、画像出力の安全性及びユーザの利便性を両立させることが可能な携帯端末、画像出力システム及びプログラムを提供することを目的とする。
【課題を解決するための手段】
【０００６】
上述した課題を解決し、目的を達成するために、本発明の一態様にかかる携帯端末は、印刷データを暗号化した暗号化印刷データを、ネットワークを介してサーバに登録し、当該サーバから当該暗号化印刷データの識別情報を取得する登録部と、前記暗号化印刷データの暗号化に用いた暗号鍵と前記識別情報とを含む登録済み印刷情報を生成する生成部と、前記登録済み印刷情報を近距離無線通信で画像出力装置に通知する通知部と、を備える。
【発明の効果】
【０００７】
本発明によれば、画像出力の安全性及びユーザの利便性を両立させることが可能という効果を奏する。
【図面の簡単な説明】
【０００８】
【図１】図１は、第１実施形態の画像出力システムの構成の一例を示す模式図である。
【図２】図２は、第１実施形態の携帯端末の構成の一例を示すブロック図である。
【図３】図３は、第１実施形態の登録済み印刷情報の一例を示す図である。
【図４】図４は、第１実施形態の印刷サーバの構成の一例を示すブロック図である。
【図５】図５は、第１実施形態の複合機の構成の一例を示すブロック図である。
【図６】図６は、第１実施形態の携帯端末で実行される処理の一例を示すフローチャート図である。
【図７】図７は、第１実施形態の複合機で実行される処理の一例を示すフローチャート図である。
【図８】図８は、第１実施形態の印刷データの選択画面の一例を示す図である。
【図９】図９は、第２実施形態の携帯端末の構成の一例を示すブロック図である。
【図１０】図１０は、第２実施形態の登録済み印刷情報の一例を示す図である。
【図１１】図１１は、第２実施形態の印刷サーバの構成の一例を示すブロック図である。
【図１２】図１２は、第２実施形態の複合機の構成の一例を示すブロック図である。
【図１３】図１３は、第２実施形態の携帯端末で実行される処理の一例を示すフローチャート図である。
【図１４】図１４は、第２実施形態の複合機で実行される処理の一例を示すフローチャート図である。
【図１５】図１５は、第２実施形態の印刷サーバで実行される認証処理の一例を示すフローチャート図である。
【図１６】図１６は、第２実施形態の印刷サーバで実行される削除処理の一例を示すフローチャート図である。
【図１７】図１７は、変形例２の携帯端末の構成の一例を示すブロック図である。
【図１８】図１８は、変形例２の印刷サーバで実行される削除処理の一例を示すフローチャート図である。
【図１９】図１９は、変形例３の画像出力システムの構成の一例を示す模式図である。
【図２０】図２０は、変形例４の画像出力システムの構成の一例を示す模式図である。
【図２１】図２１は、変形例５の画像出力システムの構成の一例を示す模式図である。
【図２２】図２２は、変形例５の登録済み印刷情報の一例を示す図である。
【図２３】図２３は、変形例６の確認画面の一例を示す図である。
【図２４】図２４は、変形例６の画像出力選択画面の一例を示す図である。
【図２５】図２５は、変形例６のメール送信設定画面の一例を示す図である。
【発明を実施するための形態】
【０００９】
以下、添付図面を参照しながら、本発明にかかる携帯端末、画像出力システム及びプログラムの実施の形態を詳細に説明する。
【００１０】
（第１実施形態）
まず、第１実施形態の画像出力システムの構成について説明する。
【００１１】
図１は、第１実施形態の画像出力システム１の構成の一例を示す模式図である。図１に示すように、画像出力システム１は、携帯端末１００と、印刷サーバ２００（サーバの一例）と、複合機（ＭＦＰ：Multifunction  Peripheral）３００（画像出力装置の一例）とを、備える。携帯端末１００、印刷サーバ２００、及び複合機３００は、インターネット２（ネットワークの一例）を介して接続されている。
【００１２】
携帯端末１００は、ユーザが持ち運び可能な端末であればよく、例えば、スマートフォンやタブレットなどが挙げられる。図２は、第１実施形態の携帯端末１００の構成の一例を示すブロック図である。図２に示すように、携帯端末１００は、通信部１１０と、ＮＦＣ（Near  Field  Communication）通信部１２０と、操作部１３０と、表示部１４０と、記憶部１５０と、制御部１６０とを、備える。
【００１３】
通信部１１０は、ネットワーク２を介して、印刷サーバ２００などの外部装置と通信するものであり、Ｗｉ−Ｆｉ（Wireless  Fidelity）での通信やモバイルデータ通信などを行う通信装置により実現できる。
【００１４】
ＮＦＣ通信部１２０は、複合機３００などの外部装置とＮＦＣ通信を行う通信装置により実現できる。第１実施形態では、ＮＦＣ通信を例に取り説明するが、近距離無線通信であれば、例えば赤外線通信などどのような方式であってもよい。
【００１５】
操作部１３０は、各種操作の入力を行うものであり、キーボード、マウス、タッチパッド、及びタッチパネルなどの入力装置により実現できる。
【００１６】
表示部１４０は、各種画面を表示するものであり、液晶ディスプレイ及びタッチパネル式ディスプレイなどの表示装置により実現できる。
【００１７】
記憶部１５０は、携帯端末１００で実行される印刷要求プログラムなど各種プログラム、及び印刷サーバ２００とのインターネット接続に用いられる印刷サーバアドレス（接続情報の一例）など携帯端末１００で行われる各種処理に使用されるデータなどを記憶する。記憶部１５０は、例えば、ＨＤＤ（Hard  Disk  Drive）、ＳＳＤ（Solid  State  Drive）、メモリカード、光ディスク、及びＲＡＭ（Random  Access  Memory）などの磁気的、光学的、及び電気的に記憶可能な記憶装置の少なくともいずれかにより実現できる。
【００１８】
制御部１６０は、携帯端末１００の各部を制御するものであり、ＣＰＵ（Central  Processing  Unit）などの制御装置により実現できる。制御部１６０は、表示制御部１６１と、作成部１６３と、登録部１６９と、生成部１７１と、通知部１７３とを、含む。制御部１６０は、記憶部１５０に記憶されている印刷要求プログラムを起動（実行）することにより、表示制御部１６１、作成部１６３、登録部１６９、生成部１７１、及び通知部１７３をソフトウェアとして実現する。
【００１９】
表示制御部１６１は、印刷サーバ２００への印刷データのアップロード画面などを表示部１４０に表示する。
【００２０】
作成部１６３は、表示部１４０に表示されたアップロード画面において、操作部１３０によりアップロード対象の文書を選択する操作入力が行われると、選択された文書の文書データから印刷データを作成し、印刷データを暗号化した暗号化印刷データを作成する。
【００２１】
印刷データは、例えば、ＰＣＬ（Printer  Control  Language）等のページ記述言語ファイル、ＰＤＦ（Portable  Document  Format）等の文書ファイル、及びＪＰＥＧ（Joint  Photographic  Experts  Group）やＴＩＦＦ（Tagged  Image  File  Format）等の画像ファイルであり、複合機が扱える形式のデータであればどのようなものでもよい。なお、文書データが上述したような複合機が扱える形式のデータであれば、作成部１６３は、文書データをそのまま印刷データとして扱えばよい。
【００２２】
作成部１６３は、暗号鍵生成部１６５と、暗号化部１６７とを、含む。
【００２３】
暗号鍵生成部１６５は、選択された文書の印刷データの暗号化に用いる暗号鍵を生成する。なお第１実施形態では、暗号アルゴリズムとして、ＤＥＳ（Data  Encryption  Standard）、３ＤＥＳ（Triple  Data  Encryption  Standard）、及びＡＥＳ（Advanced  Encryption  Standard）などの共通鍵暗号アルゴリズムを想定している。このため第１実施形態では、暗号鍵生成部１６５は、乱数から秘密暗号鍵を生成するものとするが、暗号鍵の生成手法は、これに限定されるものではない。
【００２４】
暗号化部１６７は、暗号鍵生成部１６５により生成された暗号鍵を用いて、印刷データを暗号化する。これにより、印刷データを暗号化した暗号化印刷データが得られる。
【００２５】
登録部１６９は、インターネット２を介して印刷サーバ２００に暗号化印刷データを登録し、印刷サーバ２００から当該暗号化印刷データの識別情報を取得する。具体的には、登録部１６９は、記憶部１５０に記憶されている印刷サーバアドレスを用いて印刷サーバ２００にインターネット２を介して接続し、暗号化印刷データを登録する。そして登録部１６９は、暗号化印刷データの識別情報として、印刷サーバ２００により暗号化印刷データに付与された印刷データＩＤを取得する。
【００２６】
なお第１実施形態では、記憶部１５０に記憶されている印刷サーバアドレスは、印刷要求プログラムの初回起動（実行）時にユーザが操作部１３０から入力したものとする。これにより、ユーザは、印刷要求を行う毎に印刷サーバアドレスを入力する必要が無く、ユーザの利便性を向上できる。
【００２７】
生成部１７１は、暗号化印刷データの暗号化に用いた暗号鍵と登録部１６９により取得された印刷データＩＤとを含む登録済み印刷情報を生成する。具体的には、生成部１７１は、図３に示すように、印刷サーバ２００とのインターネット接続に用いた印刷サーバアドレスと、印刷サーバ２００から取得した印刷データＩＤと、暗号化印刷データの暗号化に用いた暗号鍵とを対応付けた登録済み印刷情報を生成し、記憶部１５０に記憶する。
【００２８】
なお生成部１７１は、更に印刷データの生成元の文書の文書名等を登録済み印刷情報に含めてもよい。また登録済み印刷情報は、１ジョブ分の印刷要求に伴う情報である必要はなく、図３に示すように、複数ジョブ分（図３に示す例では３ジョブ分）の印刷要求に基づく情報であってもよい。
【００２９】
通知部１７３は、生成部１７１により生成された登録済み印刷情報をＮＦＣ通信で複合機３００に通知する。具体的には、ユーザが複合機３００の所定部分に携帯端末１００をタッチすると、通知部１７３は、記憶部１５０に記憶されている登録済み印刷情報を取得し、ＮＦＣ通信で複合機３００に通知する。
【００３０】
印刷サーバ２００は、印刷データの蓄積及び配信を行うものであり、コンピュータなどにより実現できる。図４は、第１実施形態の印刷サーバ２００の構成の一例を示すブロック図である。図４に示すように、印刷サーバ２００は、通信部２１０と、操作部２２０と、表示部２３０と、記憶部２４０と、制御部２５０とを、備える。
【００３１】
通信部２１０は、ネットワーク２を介して、携帯端末１００や複合機３００などの外部装置と通信するものであり、ＮＩＣ（Network  Interface  Card）などの通信装置により実現できる。
【００３２】
操作部２２０は、各種操作の入力を行うものであり、キーボード、マウス、タッチパッド、及びタッチパネルなどの入力装置により実現できる。
【００３３】
表示部２３０は、各種画面を表示するものであり、液晶ディスプレイ及びタッチパネル式ディスプレイなどの表示装置により実現できる。
【００３４】
記憶部２４０は、印刷サーバ２００で実行される各種プログラム、及び印刷サーバ２００で行われる各種処理に使用されるデータなどを記憶する。記憶部２４０は、例えば、ＨＤＤ、ＳＳＤ、メモリカード、光ディスク、及びＲＡＭなどの磁気的、光学的、及び電気的に記憶可能な記憶装置の少なくともいずれかにより実現できる。
【００３５】
制御部２５０は、印刷サーバ２００の各部を制御するものであり、ＣＰＵなどの制御装置により実現できる。制御部２５０は、管理部２５１と、配信部２５３とを、含む。
【００３６】
管理部２５１は、記憶部２４０を用いて暗号化印刷データを管理する。具体的には、管理部２５１は、携帯端末１００から暗号化印刷データの登録が要求されると、登録が要求された暗号化印刷データに印刷データＩＤを付与し、記憶部２４０に記憶する。
【００３７】
配信部２５３は、暗号化印刷データを複合機３００へ配信する。具体的には、配信部２５３は、複合機３００から印刷データＩＤを受け付け、受け付けた印刷データＩＤが付与された暗号化印刷データを記憶部２４０から取得し、複合機３００へ配信する。
【００３８】
複合機３００は、複写機能、印刷機能、スキャナ機能、及びファクシミリ機能のうち少なくとも２つの機能を有するものである。第１実施形態では、複合機を例に取り説明するが、これに限定されず、印刷装置、複写機、スキャナ装置、及びファクシミリ装置など画像出力が可能な画像出力装置であればよい。
【００３９】
図５は、第１実施形態の複合機３００の構成の一例を示すブロック図である。図５に示すように、複合機３００は、通信部３１０と、ＮＦＣ通信部３２０と、操作部３３０と、表示部３４０と、記憶部３５０と、印刷部３６０と、制御部３７０とを、備える。
【００４０】
通信部３１０は、ネットワーク２を介して、印刷サーバ２００などの外部装置と通信するものであり、ＮＩＣなどの通信装置により実現できる。
【００４１】
ＮＦＣ通信部３２０は、携帯端末１００などの外部装置とＮＦＣ通信を行う通信装置により実現できる。第１実施形態では、ＮＦＣ通信を例に取り説明するが、近距離無線通信であれば、例えば赤外線通信などどのような方式であってもよい。
【００４２】
操作部３３０は、各種操作の入力を行うものであり、タッチパッド及びキースイッチなどの入力装置により実現できる。
【００４３】
表示部３４０は、各種画面を表示するものであり、液晶ディスプレイ及びタッチパネル式ディスプレイなどの表示装置により実現できる。
【００４４】
記憶部３５０は、複合機３００で実行される各種プログラム、及び複合機３００で行われる各種処理に使用されるデータなどを記憶する。記憶部３５０は、例えば、ＨＤＤ、ＳＳＤ、メモリカード、光ディスク、及びＲＡＭなどの磁気的、光学的、及び電気的に記憶可能な記憶装置の少なくともいずれかにより実現できる。
【００４５】
印刷部３６０は、印刷データに基づく印刷を行うものであり、プリンタなどの印刷装置により実現できる。
【００４６】
制御部３７０は、複合機３００の各部を制御するものであり、ＣＰＵなどの制御装置により実現できる。制御部３７０は、表示制御部３７１と、取得部３７３と、復号部３７５と、出力制御部３７７とを、含む。
【００４７】
表示制御部３７１は、印刷サーバ２００からの印刷データのダウンロード画面などを表示部３４０に表示する。具体的には、表示制御部３７１は、携帯端末１００から登録済み印刷情報が通知されると、印刷データのダウンロード画面を表示部３４０に表示する。
【００４８】
取得部３７３は、携帯端末１００から通知された登録済み印刷情報に含まれる印刷データＩＤを、インターネット２を介して印刷サーバ２００に通知して、暗号化印刷データを取得する。
【００４９】
具体的には、取得部３７３は、表示部３４０に表示されたダウンロード画面において、操作部３３０によりダウンロード対象の印刷データを選択する操作入力が行われると、選択された印刷データの印刷データＩＤと当該印刷データＩＤに対応付けられた印刷サーバアドレスとを、登録済み印刷情報から取得する。そして取得部３７３は、取得した印刷サーバアドレスを用いて印刷サーバ２００にインターネット２を介して接続し、取得した印刷データＩＤが付与された暗号化印刷データを印刷サーバ２００から取得する。
【００５０】
復号部３７５は、携帯端末１００から通知された登録済み印刷情報に含まれる暗号鍵を用いて、取得部３７３により取得された暗号化印刷データを印刷データに復号する。具体的には、復号部３７５は、ユーザにより選択された印刷データの印刷データＩＤに対応付けられた暗号鍵を登録済み印刷情報から取得し、取得した暗号鍵を用いて、取得部３７３により取得された暗号化印刷データを印刷データに復号する。
【００５１】
出力制御部３７７は、復号部３７５により復号された印刷データに基づく画像出力を制御する。例えば、出力制御部３７７は、復号部３７５により復号された印刷データに基づく印刷を印刷部３６０に行わせたり、復号部３７５により復号された印刷データに基づく画像の各種配信を通信部３１０に行わせたり、復号部３７５により復号された印刷データに基づく画像のフラッシュメモリなどの外部メディアへの保存を制御したりする。印刷データに基づく画像の各種配信としては、ファクシミリでの配信、電子メールでの配信、ＦＴＰ（File  Transfer  Protocol）での配信、及びＳＭＢ（Server  Message  Block）での配信などが挙げられる。
【００５２】
次に、第１実施形態の画像出力システムの動作について説明する。
【００５３】
図６は、第１実施形態の携帯端末１００で実行される処理の一例を示すフローチャート図である。
【００５４】
まず、作成部１６３は、表示部１４０に表示されたアップロード画面において、操作部１３０によりアップロード対象の文書を選択する操作入力が行われると、選択された文書の文書データから印刷データを作成する（ステップＳ１０１）。
【００５５】
続いて、暗号鍵生成部１６５は、選択された文書の印刷データの暗号化に用いる暗号鍵を生成する（ステップＳ１０３）。
【００５６】
続いて、暗号化部１６７は、暗号鍵生成部１６５により生成された暗号鍵を用いて、印刷データを暗号化した暗号化印刷データを生成する（ステップＳ１０５）。
【００５７】
続いて、登録部１６９は、記憶部１５０から印刷サーバ２００のアドレス情報である印刷サーバアドレスを取得し、取得した印刷サーバアドレスを用いて印刷サーバ２００にインターネット２を介して接続する（ステップＳ１０７）。
【００５８】
続いて、登録部１６９は、暗号化部１６７により生成された暗号化印刷データを印刷サーバ２００に登録する（ステップＳ１０９）。
【００５９】
続いて、登録部１６９は、印刷サーバ２００から、印刷サーバ２００により暗号化印刷データに付与された印刷データＩＤを取得する（ステップＳ１１１）。
【００６０】
続いて、生成部１７１は、印刷サーバ２００とのインターネット接続に用いたアドレス情報である印刷サーバアドレスと、印刷サーバ２００から取得した印刷データＩＤと、暗号化印刷データの暗号化に用いた暗号鍵とを含む登録済み印刷情報を生成し、記憶部１５０に記憶する（ステップＳ１１３）。
【００６１】
続いて、通知部１７３は、ユーザが複合機３００の所定部分に携帯端末１００をタッチすると、記憶部１５０に記憶されている登録済み印刷情報を取得し、ＮＦＣ通信で複合機３００に通知する（ステップＳ１１５）。
【００６２】
図７は、第１実施形態の複合機３００で実行される処理の一例を示すフローチャート図である。
【００６３】
まず、制御部３７０は、携帯端末１００からＮＦＣ通信で登録済み印刷情報を取得する（ステップＳ２０１）。
【００６４】
続いて、制御部３７０は、取得した登録済み印刷情報に含まれる印刷データＩＤ（ジョブ）が１つであるか否かを確認する（ステップＳ２０３）。
【００６５】
登録済み印刷情報に含まれる印刷データＩＤが１つである場合（ステップＳ２０３でＹｅｓ）、ステップＳ２０９へ進む。一方、登録済み印刷情報に含まれる印刷データＩＤが複数である場合（ステップＳ２０３でＮｏ）、表示制御部３７１は、図８に示すように、印刷データの選択画面（ダウンロード画面）を表示部３４０に表示する（ステップＳ２０５）。
【００６６】
続いて、取得部３７３は、表示部３４０に表示された選択画面（ダウンロード画面）において、操作部３３０によりダウンロード対象の印刷データを選択する操作入力を受け付ける（ステップＳ２０７）。
【００６７】
続いて、取得部３７３は、選択された印刷データの印刷データＩＤに対応付けられた印刷サーバ２００のアドレス情報である印刷サーバアドレスを登録済み印刷情報から取得し、取得した印刷サーバアドレスを用いて印刷サーバ２００にインターネット２を介して接続する（ステップＳ２０９）。なお、登録済み印刷情報に含まれる印刷データＩＤが１つの場合には、取得部３７３は、当該印刷データＩＤに対応付けられた印刷サーバアドレスを登録済み印刷情報から取得する。
【００６８】
続いて、取得部３７３は、選択された印刷データの印刷データＩＤを登録済み印刷情報から取得し、取得した印刷データＩＤを印刷サーバ２００に通知し、当該印刷データＩＤが付与された暗号化印刷データを印刷サーバ２００から取得する（ステップＳ２１１）。なお、登録済み印刷情報に含まれる印刷データＩＤが１つの場合には、取得部３７３は、当該印刷データＩＤを登録済み印刷情報から取得する。
【００６９】
続いて、復号部３７５は、選択された印刷データの印刷データＩＤに対応付けられた暗号鍵を登録済み印刷情報から取得し、取得した暗号鍵を用いて、取得部３７３により取得された暗号化印刷データを印刷データに復号する（ステップＳ２１３）。なお、登録済み印刷情報に含まれる印刷データＩＤが１つの場合には、復号部３７５は、当該印刷データＩＤに対応付けられた暗号鍵を登録済み印刷情報から取得する。
【００７０】
続いて、出力制御部３７７は、復号部３７５により復号された印刷データに基づく画像出力を制御する（ステップＳ２１５）。
【００７１】
以上のように第１実施形態では、暗号化印刷データを復号するための暗号鍵は、携帯端末内で自動的に生成され、当該暗号鍵を含む登録済み印刷情報が近距離無線通信で画像出力装置に通知される。このため第１実施形態によれば、暗号化印刷データを復号するための暗号鍵をユーザが入力する必要がなく、画像出力の安全性及びユーザの利便性を両立させることができる。
【００７２】
また第１実施形態のように、印刷サーバを用いてロケーションフリー印刷などの印刷を行う場合、印刷サーバのアドレス情報など印刷サーバとの接続に用いる情報が必要になるが、第１実施形態では、印刷要求プログラムの初回起動（実行）時にユーザが操作部１３０から入力した印刷サーバアドレスが携帯端末に記憶され、当該印刷サーバアドレスを含む登録済み印刷情報が近距離無線通信で画像出力装置に通知される。このため第１実施形態によれば、ユーザは、印刷要求を行う毎に印刷サーバアドレスを入力する必要が無く、画像出力のユーザの利便性をより高めることができる。
【００７３】
（第２実施形態）
第２実施形態では、印刷サーバの接続に認証を用いる例について説明する。以下では、第１実施形態との相違点の説明を主に行い、第１実施形態と同様の機能を有する構成要素については、第１実施形態と同様の名称・符号を付し、その説明を省略する。
【００７４】
図９は、第２実施形態の携帯端末１１００の構成の一例を示すブロック図である。図９に示すように、携帯端末１１００は、制御部１１６０の登録部１１６９及び生成部１１７１が第１実施形態と相違する。
【００７５】
登録部１１６９は、更に、携帯端末１１００のユーザを認証する認証情報を、インターネット２を介して印刷サーバ１２００に通知して登録する。具体的には、登録部１１６９は、記憶部１５０から認証情報を取得し、取得した認証情報を、インターネット２を介して印刷サーバ１２００に通知し、印刷サーバ１２００での認証に成功すれば、印刷データＩＤが付与された暗号化印刷データと当該認証情報とを対応付けて印刷サーバ１２００に登録する。認証情報は、ユーザのユーザＩＤやパスワードなどが挙げられる。
【００７６】
なお第２実施形態では、記憶部１５０に記憶されている認証情報は、印刷要求プログラムの起動（実行）時にユーザが操作部１３０から入力したものとする。このように、第２実施形態では、印刷要求プログラムの起動（実行）時に入力した認証情報を再利用するため、ユーザは、印刷要求を行うために別途認証情報を入力する必要が無く、ユーザの利便性を向上できる。
【００７７】
生成部１１７１は、図１０に示すように、印刷サーバ１２００に登録した認証情報を更に含む登録済み印刷情報を生成する。
【００７８】
図１１は、第２実施形態の印刷サーバ１２００の構成の一例を示すブロック図である。図１１に示すように、印刷サーバ１２００は、制御部１２５０の管理部１２５１が第１実施形態と相違し、制御部１２５０が認証部１２５５を更に含む点で第１実施形態と相違する。なお管理部１２５１及び認証部１２５５の詳細については、後述する。
【００７９】
図１２は、第２実施形態の複合機１３００の構成の一例を示すブロック図である。図１２に示すように、複合機１３００は、制御部１３７０の取得部１３７３が第１実施形態と相違し、制御部１３７０が要求部１３７９を更に含む点で第１実施形態と相違する。
【００８０】
取得部１３７３は、携帯端末１１００から通知された登録済み印刷情報に含まれる認証情報を、インターネット２を介して印刷サーバ１２００に更に通知して、暗号化印刷データを取得する。
【００８１】
具体的には、取得部１３７３は、表示部３４０に表示されたダウンロード画面において、操作部３３０によりダウンロード対象の印刷データを選択する操作入力が行われると、選択された印刷データの印刷データＩＤと当該印刷データＩＤに対応付けられた印刷サーバアドレス及び認証情報とを、登録済み印刷情報から取得する。そして取得部１３７３は、取得した印刷サーバアドレスを用いて印刷サーバ１２００にインターネット２を介して接続し、取得した認証情報を印刷サーバ１２００に通知し、印刷サーバ１２００での認証に成功すれば、取得した印刷データＩＤが付与された暗号化印刷データを印刷サーバ１２００から取得する。
【００８２】
要求部１３７９は、出力制御部３７７による印刷データに基づく画像出力の制御後に、インターネット２を介して印刷サーバ１２００に印刷データの印刷データＩＤを再度通知して暗号化印刷データの削除を要求する。
【００８３】
ここで、管理部１２５１及び認証部１２５５について説明する。
【００８４】
管理部１２５１は、携帯端末１１００から認証情報の登録が更に要求されると、認証部１２５５による認証に成功すれば、暗号化印刷データに付与した印刷データＩＤに当該認証情報を対応付けて記憶部２４０に記憶する。
【００８５】
また管理部１２５１は、複合機１３００による印刷データに基づく画像出力後に、複合機１３００から印刷データＩＤが再度通知されると、通知された印刷データＩＤが付与された暗号化印刷データを記憶部２４０から削除する。
【００８６】
認証部１２５５は、携帯端末１１００により通知された認証情報を用いた認証、及び複合機１３００により通知された認証情報を用いた認証を行う。
【００８７】
配信部２５３は、複合機１３００から認証情報が通知されると、認証部１２５５による認証に成功すれば、複合機１３００により通知された印刷データＩＤに対応する暗号化印刷データを、インターネット２を介して複合機１３００に配信する。
【００８８】
図１３は、第２実施形態の携帯端末１１００で実行される処理の一例を示すフローチャート図である。
【００８９】
まず、ステップＳ３０１〜Ｓ３０５までの処理は、図６のフローチャートのステップＳ１０１〜Ｓ１０５までの処理と同様である。
【００９０】
ステップＳ３０７では、登録部１１６９は、認証情報を取得する（ステップＳ３０７）。
【００９１】
続いて、登録部１１６９は、印刷サーバ１２００のアドレス情報である印刷サーバアドレスを取得し、取得した印刷サーバアドレスを用いて印刷サーバ１２００にインターネット２を介して接続する（ステップＳ３０９）。
【００９２】
続いて、登録部１１６９は、暗号化部１６７により生成された暗号化印刷データ及び取得した認証情報を印刷サーバ１２００に通知し、印刷サーバ１２００による当該認証情報を用いた認証に成功すれば、登録する（ステップＳ３１１）。
【００９３】
続いて、登録部１１６９は、印刷サーバ１２００から、印刷サーバ１２００により暗号化印刷データに付与された印刷データＩＤを取得する（ステップＳ３１３）。
【００９４】
続いて、生成部１１７１は、印刷サーバ１２００とのインターネット接続に用いたアドレス情報である印刷サーバアドレスと、印刷サーバ１２００から取得した印刷データＩＤと、暗号化印刷データの暗号化に用いた暗号鍵と、認証情報と、を含む登録済み印刷情報を生成し、記憶部１５０に記憶する（ステップＳ３１５）。
【００９５】
ステップＳ３１７の処理は、図６のフローチャートのステップＳ１１５の処理と同様である。
【００９６】
図１４は、第２実施形態の複合機１３００で実行される処理の一例を示すフローチャート図である。
【００９７】
まず、ステップＳ４０１〜Ｓ４０９までの処理は、図７のフローチャートのステップＳ２０１〜Ｓ２０９までの処理と同様である。
【００９８】
続いて、取得部１３７３は、選択された印刷データの印刷データＩＤ及び当該印刷データＩＤに対応付けられた認証情報を登録済み印刷情報から取得し、取得した印刷データＩＤ及び認証情報を印刷サーバ１２００に通知し、印刷サーバ１２００による当該認証情報を用いた認証に成功すれば、当該印刷データＩＤが付与された暗号化印刷データを印刷サーバ１２００から取得する（ステップＳ４１１）。
【００９９】
続いて、復号部３７５は、選択された印刷データの印刷データＩＤに対応付けられた暗号鍵を登録済み印刷情報から取得し、取得した暗号鍵を用いて、取得部１３７３により取得された暗号化印刷データを印刷データに復号する（ステップＳ４１３）。
【０１００】
続いて、出力制御部３７７は、復号部３７５により復号された印刷データに基づく画像出力を制御する（ステップＳ４１５）。
【０１０１】
続いて、要求部１３７９は、出力制御部３７７による印刷データに基づく画像出力の制御後に、インターネット２を介して印刷サーバ１２００に印刷データの印刷データＩＤを再度通知して暗号化印刷データの削除を要求する（ステップＳ４１７）。
【０１０２】
図１５は、第２実施形態の印刷サーバ１２００で実行される認証処理の一例を示すフローチャート図である。
【０１０３】
まず、認証部１２５５は、複合機１３００から認証情報が更に通知されると、複合機１３００から通知された印刷データＩＤに対応付けられた認証情報を記憶部２４０から取得し、取得した認証情報と複合機１３００から通知された認証情報とを用いた認証を行う（ステップＳ５０１）。
【０１０４】
そして、認証部１２５５の認証が成功した場合（ステップＳ５０３でＹｅｓ）、配信部２５３は、複合機１３００により通知された印刷データＩＤに対応する暗号化印刷データを、インターネット２を介して複合機１３００に配信する（ステップＳ５０５）。
【０１０５】
図１６は、第２実施形態の印刷サーバ１２００で実行される削除処理の一例を示すフローチャート図である。
【０１０６】
まず、管理部１２５１は、複合機１３００による印刷データに基づく画像出力後に、複合機１３００から暗号化印刷データの削除要求として印刷データＩＤを受信する（ステップＳ６０１）。
【０１０７】
続いて、管理部１２５１は、通知された印刷データＩＤが付与された暗号化印刷データを記憶部２４０から削除する（ステップＳ６０３）。
【０１０８】
以上のように第２実施形態では、ユーザ認証を行うため、ユーザへのなりすまし等による画像出力を防止でき、画像出力の安全性をより高めることができる。
【０１０９】
また第２実施形態では、印刷要求プログラムの起動（実行）時にユーザが操作部１３０から入力した認証情報が携帯端末に記憶され、当該認証情報を含む登録済み印刷情報が近距離無線通信で画像出力装置に通知される。このため第２実施形態によれば、ユーザは、印刷要求を行うために認証情報を入力する必要が無く、画像出力のユーザの利便性をより高めることができる。
【０１１０】
また第２実施形態では、ユーザ認証に成功し、画像出力が行われた後に、画像出力装置から印刷サーバに暗号化印刷データの削除要求を行うため、正当なユーザのみが暗号化印刷データを削除することができる。
【０１１１】
（変形例）
なお、本発明は、上記各実施形態に限定されるものではなく、種々の変形が可能である。
【０１１２】
（変形例１）
上記各実施形態において、携帯端末の記憶部に記憶された接続情報は、外部から取得されたものとしてもよい。具体的には、印刷要求プログラムの初回起動（実行）時に印刷要求プログラムが外部から接続情報を取得し、記憶部に記憶するようにしてもよい。このようにすれば、ユーザは、印刷サーバアドレスを入力する必要が無く、画像出力のユーザの利便性を更に高めることができる。
【０１１３】
（変形例２）
上記実施形態２において、複合機ではなく携帯端末から暗号化印刷データを削除するようにしてもよい。この場合、図１７に示すように、携帯端末２１００の制御部２１６０が要求部２１７５を備えるようにすればよい。
【０１１４】
要求部２１７５は、インターネット２を介して印刷サーバ１２００に認証情報及び印刷データの印刷データＩＤを通知して暗号化印刷データの削除を要求する。具体的には、要求部２１７５は、ユーザが操作部１３０から入力した削除要求操作、又はユーザが操作部１３０から入力した印刷要求プログラムの削除要求操作の入力に基づいて、インターネット２を介して印刷サーバ１２００に認証情報及び印刷データの印刷データＩＤを通知して暗号化印刷データの削除を要求する。
【０１１５】
図１８は、変形例２の印刷サーバ１２００で実行される削除処理の一例を示すフローチャート図である。
【０１１６】
まず、管理部１２５１は、携帯端末２１００から暗号化印刷データの削除要求として認証情報及び印刷データＩＤを受信する（ステップＳ７０１）。
【０１１７】
続いて、認証部１２５５は、携帯端末２１００から通知された印刷データＩＤに対応付けられた認証情報を記憶部２４０から取得し、取得した認証情報と携帯端末２１００から通知された認証情報とを用いた認証を行う（ステップＳ７０３）。
【０１１８】
そして、認証部１２５５の認証が成功した場合（ステップＳ７０５でＹｅｓ）、管理部１２５１は、通知された印刷データＩＤが付与された暗号化印刷データを記憶部２４０から削除する（ステップＳ７０７）。
【０１１９】
変形例２では、携帯端末から印刷サーバに暗号化印刷データの削除要求を行い、ユーザ認証に成功した場合に、暗号化印刷データを削除するため、正当なユーザのみが暗号化印刷データを任意のタイミングや暗号化印刷データに基づく画像出力が行われないことが確定したタイミングで削除することができる。
【０１２０】
（変形例３）
上記各実施形態において、携帯端末をＰＣなどの端末とし、ＰＣから携帯端末を介して複合機に登録済み印刷情報を通知するようにしてもよい。
【０１２１】
例えば、図１９に示す画像出力システム３００１のように、端末３１００が生成した登録済み印刷情報を携帯端末３４００に通知し、携帯端末３４００がＮＦＣ通信で登録済み印刷情報を複合機３００に通知するようにしてもよい。この場合、端末３１００と携帯端末３４００との間での通信は、秘匿性が必要とされるので、ＵＳＢ（Universal  Serial  Bus）等の物理的なケーブル接続、ＮＦＣ通信、及びＳ／ＭＩＭＥ（Secure  /  Multipurpose  Internet  Mail  Extensions）による暗号化メールなどの暗号化通信技術を用いればよい。
【０１２２】
（変形例４）
上記各実施形態において、携帯端末から別の携帯端末を介して複合機に登録済み印刷情報を通知するようにしてもよい。
【０１２３】
例えば、図２０に示す画像出力システム４００１のように、携帯端末１００が生成した登録済み印刷情報を携帯端末４４００に通知し、携帯端末４４００がＮＦＣ通信で登録済み印刷情報を複合機３００に通知するようにしてもよい。この場合、携帯端末１００と携帯端末４４００との間での通信は、秘匿性が必要とされるので、ＵＳＢ等の物理的なケーブル接続、ＮＦＣ通信、及びＳ／ＭＩＭＥによる暗号化メールなどの暗号化通信技術を用いればよい。
【０１２４】
（変形例５）
上記各実施形態において、印刷サーバを複数の印刷サーバから構成される印刷サーバシステムとし、複数の印刷サーバに暗号化印刷データを分散して登録するようにしてもよい。
【０１２５】
例えば、図２１に示す画像出力システム５００１のように、携帯端末１００の登録部１６９が印刷サーバ５２０１〜５２０３それぞれの印刷サーバアドレスを用いて、印刷サーバ５２０１〜５２０３に暗号化印刷データを分散して登録し、生成部１７１が、図２２に示すような登録済み印刷情報を生成するようにしてもよい。
【０１２６】
このようにすれば、１つの印刷サーバから暗号化印刷データを取得しても、印刷データを復元することができないため、画像出力の安全性をより高めることができる。
【０１２７】
（変形例６）
上記各実施形態において、ダウンロード対象の印刷データを選択する操作入力後に、表示制御部３７１は、図２３に示すように、選択された印刷データに基づく印刷の確認画面を表示部３４０に表示し、スタート操作が行われた後に、取得部３７３が処理を開始するようにしてもよい。
【０１２８】
また、上記各実施形態において、ダウンロード対象の印刷データを選択する操作入力後に、表示制御部３７１は、図２４に示すように、画像出力方法をユーザに選択させる画像出力選択画面を表示部３４０に表示してもよい。例えば、メール送信が選択された場合、表示制御部３７１は、図２５に示すように、メール送信設定画面を表示部３４０に表示し、メール送信設定後スタート操作が行われた後に、取得部３７３が処理を開始するようにしてもよい。
【０１２９】
（ハードウェア構成）
上記各実施形態及び各変形例の携帯端末、印刷サーバ、及び複合機のハードウェア構成について説明する。上記各実施形態及び各変形例の携帯端末、印刷サーバ、及び複合機は、ＣＰＵなどの制御装置、ＲＯＭ（Read  Only  Memory）やＲＡＭなどの記憶装置、ＨＤＤやＳＳＤなどの外部記憶装置、ディスプレイなどの表示装置、マウスやキーボードなどの入力装置、ＮＩＣなどの通信装置、及びＮＦＣなどの近距離無線通信装置を備えており、通常のコンピュータを利用したハードウェア構成で実現できる。
【０１３０】
上記各実施形態及び各変形例の携帯端末、印刷サーバ、及び複合機で実行されるプログラムは、インストール可能な形式又は実行可能な形式のファイルでＣＤ−ＲＯＭ、ＣＤ−Ｒ、メモリカード、ＤＶＤ（Digital  Versatile  Disk）、フレキシブルディスク（ＦＤ）等のコンピュータで読み取り可能な記憶媒体に記憶されて提供される。
【０１３１】
また、上記各実施形態及び各変形例の携帯端末、印刷サーバ、及び複合機で実行されるプログラムを、インターネット等のネットワークに接続されたコンピュータ上に格納し、ネットワーク経由でダウンロードさせることにより提供するようにしてもよい。また、上記各実施形態及び各変形例の携帯端末、印刷サーバ、及び複合機で実行されるプログラムを、インターネット等のネットワーク経由で提供または配布するようにしてもよい。また、上記各実施形態及び各変形例の携帯端末、印刷サーバ、及び複合機で実行されるプログラムを、ＲＯＭ等に予め組み込んで提供するようにしてもよい。
【０１３２】
上記各実施形態及び各変形例の携帯端末、印刷サーバ、及び複合機で実行されるプログラムは、上述した各部をコンピュータ上で実現させるためのモジュール構成となっている。実際のハードウェアとしては、制御装置が外部記憶装置からプログラムを記憶装置上に読み出して実行することにより、上記各部がコンピュータ上で実現されるようになっている。
【符号の説明】
【０１３３】
１、３００１、４００１、５００１  画像出力システム
２  インターネット
１００、１１００、２１００  携帯端末
１１０  通信部
１２０  ＮＦＣ通信部
１３０  操作部
１４０  表示部
１５０  記憶部
１６０、１１６０、２１６０  制御部
１６１  表示制御部
１６３  作成部
１６５  暗号鍵生成部
１６７  暗号化部
１６９、１１６９  登録部
１７１、１１７１  生成部
１７３  通知部
２００、１２００、５２０１、５２０２、５２０３  印刷サーバ
２１０  通信部
２２０  操作部
２３０  表示部
２４０  記憶部
２５０、１２５０  制御部
２５１、１２５１  管理部
２５３  配信部
３００、１３００  複合機
３１０  通信部
３２０  ＮＦＣ通信部
３３０  操作部
３４０  表示部
３５０  記憶部
３６０  印刷部
３７０、１３７０  制御部
３７１  表示制御部
３７３、１３７３  取得部
３７５  復号部
３７７  出力制御部
１２５５  認証部
１３７９  要求部
２１７５  要求部
３１００  端末
３４００  携帯端末
４４００  携帯端末
【先行技術文献】
【特許文献】
【０１３４】
【特許文献１】特開２００９−５５５８１号公報
【図１】
2014174920.tif 000003
【図２】
2014174920.tif 000004
【図３】
2014174920.tif 000005
【図４】
2014174920.tif 000006
【図５】
2014174920.tif 000007
【図６】
2014174920.tif 000008
【図７】
2014174920.tif 000009
【図８】
2014174920.tif 000010
【図９】
2014174920.tif 000011
【図１０】
2014174920.tif 000012
【図１１】
2014174920.tif 000013
【図１２】
2014174920.tif 000014
【図１３】
2014174920.tif 000015
【図１４】
2014174920.tif 000016
【図１５】
2014174920.tif 000017
【図１６】
2014174920.tif 000018
【図１７】
2014174920.tif 000019
【図１８】
2014174920.tif 000020
【図１９】
2014174920.tif 000021
【図２０】
2014174920.tif 000022
【図２１】
2014174920.tif 000023
【図２２】
2014174920.tif 000024
【図２３】
2014174920.tif 000025
【図２４】
2014174920.tif 000026
【図２５】
2014174920.tif 000027